(57)【要約】【課題】  光ディスクの反り具合を判定し、反りの小さい部分にのみデータ記録を行なうことができる光ディスク装置および光ディスク記録方法を提供する。【解決手段】  この光ディスク装置では、挿入されたディスクの記録領域の最内周へ光ピックアップを移動させる（ステップＳ３）。次いで、光ピックアップを記録領域の最内周から外周方向へ走査しながら記録領域にレーザ光を出射させ、反射光を測定する（ステップＳ４，Ｓ５）。反射光に基づいて、反りが許容範囲内であるか否かを判定し、反りが許容範囲内であると判定された部分にのみデータ記録を行なう（ステップＳ６，Ｓ７，Ｓ８）。したがって、データ記録動作を行なう前に光ディスクの反り具合を判定し、反りの小さい部分にのみデータ記録を行なうことができる。これにより、データの記録・再生の品質が改善される。【選択図】        図２
2006012352.tif 000002
【特許請求の範囲】
【請求項１】
最内周から最外周までの半径方向の位置を示すアドレスが割当てられた記録領域を有する光ディスクにデータ記録を行なう光ディスク装置であって、
前記記録領域の最内周から外周方向へ走査しながら前記記録領域にレーザ光を出射し、反射光に応じた信号を出力する光ピックアップ、
前記光ピックアップの出力信号に含まれる高周波信号の振幅に基づいて、前記光ディスクの前記記録領域のうちレーザ光が入射されている部分の反りが許容範囲内であるか否かを判定する前記比較判定部、および
前記比較判定部によってあるアドレスにおいて反りが許容範囲でないと判定された場合、前記光ディスクの記録領域のうち前記記録領域のうち前記あるアドレスよりも内周側の部分にのみデータ記録を行なう制御部を備える光ディスク装置。
【請求項２】
光ディスクにデータ記録を行なう光ディスク装置であって、
前記光ディスクの記録領域の最内周から外周方向へ走査しながら前記記録領域にレーザ光を出射し、反射光に応じた信号を出力する光ピックアップ、
前記光ピックアップの出力信号に基づいて、前記光ディスクの前記記録領域のうちレーザ光が入射されている部分の反りが許容範囲内であるか否かを判定する比較判定部、および
前記光ディスクの前記記録領域のうち、前記比較判定部によって反りが許容範囲内であると判定された部分にのみデータ記録を行ない、前記比較判定部によって反りが許容範囲内でないと判定された部分にはデータ記録を行なわない制御部を備える光ディスク装置。
【請求項３】
前記光ディスクの前記記録領域には、最内周から最外周までの半径方向の位置を示すアドレスが割当てられており、
前記制御部は、前記比較判定部によってあるアドレスにおいて反りが許容範囲でないと判定された場合、前記光ディスクの記録領域のうち前記あるアドレスよりも内周側の部分にのみデータ記録を行なう、請求項２に記載の光ディスク装置。
【請求項４】
前記光ディスクの前記記録領域には、最内周から最外周までの半径方向の位置を示すアドレスが割当てられ、かつ前記光ディスクの前記記録領域は複数のブロックに分割されており、
前記制御部は、前記比較判定部によってあるアドレスにおいて反りが許容範囲でないと判定された場合、前記複数のブロックのうち前記あるアドレスを含むブロックおよびそれよりも内周側のブロックにのみデータ記録を行なう、請求項２に記載の光ディスク装置。
【請求項５】
前記比較判定部は、前記光ピックアップの出力信号に含まれる高周波信号の振幅に基づいて、反りが許容範囲内であるか否かを判定する、請求項２から請求項４までのいずれかに記載の光ディスク装置。
【請求項６】
前記比較判定部は、前記光ピックアップの出力信号に含まれるフォーカスエラー信号のレベルに基づいて、反りが許容範囲内であるか否かを判定する、請求項２から請求項４までのいずれかに記載の光ディスク装置。
【請求項７】
光ディスクにデータ記録を行なう光ディスク記録方法であって、
前記光ディスクの記録領域の最内周から外周方向へ走査しながら前記記録領域にレーザ光を出射する第１のステップ、
前記光ディスクからの反射光に基づいて、前記光ディスクの記録領域のうちレーザ光が入射されている部分の反りが許容範囲内であるか否かを判定する第２のステップ、および
前記光ディスクの前記記録領域のうち、反りが許容範囲内であると判定された部分にのみデータ記録を行ない、反りが許容範囲内でないと判定された部分にはデータ記録を行なわない第３のステップを含む光ディスク記録方法。
【発明の詳細な説明】
【技術分野】
【０００１】
この発明は、光ディスク装置および光ディスク記録方法に関し、特に、光ディスクにデータ記録を行なう光ディスク装置および光ディスク記録方法に関する。
【背景技術】
【０００２】
記録可能な光ディスク（以下、単にディスクとも称する）として、ＣＤ（コンパクト・ディスク）−Ｒ，ＣＤ−ＲＷ，ＤＶＤ（ディジタル・ビデオ・ディスク）−Ｒ，ＤＶＤ−ＲＷ，ＤＶＤ−ＲＡＭなどが知られている。これらのディスクは、保存状態が悪いとディスクに反りが生じてしまうことがある。ディスクに大きな反りが生じている場合、データの記録・再生の品質が悪くなってしまう。したがって、高品質なデータ記録を行なうためには、データ記録を行なう際にディスクの反り具合を考慮する必要がある。
【０００３】
下記の特許文献１には、光ディスクの傷、指紋等の物理的状態に拘わらず、常に最適な条件で記録を行なう光ディスク記録方法が開示されている。この場合、データが記録可能な光ディスクへの記録に先立って、記録する領域の物理的状態を検出し、検出された物理的状態を考慮した最適記録パワーを決定する。
【０００４】
また、下記の特許文献２には、フォーカスエラー信号の許容範囲（基準値）を決め、追記型光ディスクの反りをレーザ光線で測定し、この基準値を超える追記型光ディスクを不良と判定する追記型光ディスクの反り検出装置が開示されている。
【特許文献１】特開２００２−３１９１３５号公報
【特許文献２】実開平５−４３１９号公報
【発明の開示】
【発明が解決しようとする課題】
【０００５】
一般的に、ディスクの外周部分に反りが生じやすく、ディスクの内周部分には反りが生じにくい。したがって、高品質なデータ記録を行なうためには、ディスクの反り具合を判定して、反りの小さい部分にのみデータ記録を行なうことが望ましい。
【０００６】
それゆえに、この発明の主たる目的は、光ディスクの反り具合を判定し、反りの小さい部分にのみデータ記録を行なうことができる光ディスク装置および光ディスク記録方法を提供することである。
【課題を解決するための手段】
【０００７】
この発明に係わる光ディスク装置は、最内周から最外周までの半径方向の位置を示すアドレスが割当てられた記録領域を有する光ディスクにデータ記録を行なう光ディスク装置であって、記録領域の最内周から外周方向へ走査しながら記録領域にレーザ光を出射し、反射光に応じた信号を出力する光ピックアップと、光ピックアップの出力信号に含まれる高周波信号の振幅に基づいて、光ディスクの記録領域のうちレーザ光が入射されている部分の反りが許容範囲内であるか否かを判定する比較判定部と、比較判定部によってあるアドレスにおいて反りが許容範囲でないと判定された場合、光ディスクの記録領域のうち記録領域のうちあるアドレスよりも内周側の部分にのみデータ記録を行なう制御部とを備えたものである。
【０００８】
この発明に係わる他の光ディスク装置は、光ディスクにデータ記録を行なう光ディスク装置であって、光ディスクの記録領域の最内周から外周方向へ走査しながら記録領域にレーザ光を出射し、反射光に応じた信号を出力する光ピックアップと、光ピックアップの出力信号に基づいて、光ディスクの記録領域のうちレーザ光が入射されている部分の反りが許容範囲内であるか否かを判定する比較判定部と、光ディスクの記録領域のうち、比較判定部によって反りが許容範囲内であると判定された部分にのみデータ記録を行ない、比較判定部によって反りが許容範囲内でないと判定された部分にはデータ記録を行なわない制御部とを備えたものである。
【０００９】
好ましくは、光ディスクの記録領域には、最内周から最外周までの半径方向の位置を示すアドレスが割当てられている。制御部は、比較判定部によってあるアドレスにおいて反りが許容範囲でないと判定された場合、光ディスクの記録領域のうちあるアドレスよりも内周側の部分にのみデータ記録を行なう。
【００１０】
また、好ましくは、光ディスクの記録領域には、最内周から最外周までの半径方向の位置を示すアドレスが割当てられ、かつ光ディスクの記録領域は複数のブロックに分割されている。制御部は、比較判定部によってあるアドレスにおいて反りが許容範囲でないと判定された場合、複数のブロックのうちあるアドレスを含むブロックおよびそれよりも内周側のブロックにのみデータ記録を行なう。
【００１１】
また、好ましくは、さらに、比較判定部は、光ピックアップの出力信号に含まれる高周波信号の振幅に基づいて、反りが許容範囲内であるか否かを判定する。
【００１２】
また、好ましくは、さらに、比較判定部は、光ピックアップの出力信号に含まれるフォーカスエラー信号のレベルに基づいて、反りが許容範囲内であるか否かを判定する。
【００１３】
この発明に係わる光ディスク記録方法は、光ディスクにデータ記録を行なう光ディスク記録方法であって、光ディスクの記録領域の最内周から外周方向へ走査しながら記録領域にレーザ光を出射する第１のステップと、光ディスクからの反射光に基づいて、光ディスクの記録領域のうちレーザ光が入射されている部分の反りが許容範囲内であるか否かを判定する第２のステップと、光ディスクの記録領域のうち、反りが許容範囲内であると判定された部分にのみデータ記録を行ない、反りが許容範囲内でないと判定された部分にはデータ記録を行なわない第３のステップとを含む。
【発明の効果】
【００１４】
この発明に係わる光ディスク装置では、最内周から最外周までの半径方向の位置を示すアドレスが割当てられた記録領域を有する光ディスクにデータ記録を行なう光ディスク装置であって、記録領域の最内周から外周方向へ走査しながら記録領域にレーザ光を出射し、反射光に応じた信号を出力する光ピックアップと、光ピックアップの出力信号に含まれる高周波信号の振幅に基づいて、光ディスクの記録領域のうちレーザ光が入射されている部分の反りが許容範囲内であるか否かを判定する比較判定部と、比較判定部によってあるアドレスにおいて反りが許容範囲でないと判定された場合、光ディスクの記録領域のうち記録領域のうちあるアドレスよりも内周側の部分にのみデータ記録を行なう制御部とが設けられる。したがって、光ディスクにデータ記録を行なう際、記録動作を行なう前に光ディスクの反り具合を判定し、反りの小さい部分にのみデータ記録を行なうことができる。これにより、データの記録・再生の品質が改善される。
【００１５】
この発明に係わる他の光ディスク装置では、光ディスクにデータ記録を行なう光ディスク装置であって、光ディスクの記録領域の最内周から外周方向へ走査しながら記録領域にレーザ光を出射し、反射光に応じた信号を出力する光ピックアップと、光ピックアップの出力信号に基づいて、光ディスクの記録領域のうちレーザ光が入射されている部分の反りが許容範囲内であるか否かを判定する比較判定部と、光ディスクの記録領域のうち、比較判定部によって反りが許容範囲内であると判定された部分にのみデータ記録を行ない、比較判定部によって反りが許容範囲内でないと判定された部分にはデータ記録を行なわない制御部とが設けられる。したがって、光ディスクにデータ記録を行なう際、記録動作を行なう前に光ディスクの反り具合を判定し、反りの小さい部分にのみデータ記録を行なうことができる。これにより、データの記録・再生の品質が改善される。
【００１６】
好ましくは、光ディスクの記録領域には、最内周から最外周までの半径方向の位置を示すアドレスが割当てられている。制御部は、比較判定部によってあるアドレスにおいて反りが許容範囲でないと判定された場合、光ディスクの記録領域のうちあるアドレスよりも内周側の部分にのみデータ記録を行なう。この場合は、記録禁止範囲の指定をアドレスを用いて行なう。これにより、光ディスクの記録領域のアドレスを用いてデータの記録・再生を管理することができる。
【００１７】
また、好ましくは、光ディスクの記録領域には、最内周から最外周までの半径方向の位置を示すアドレスが割当てられ、かつ光ディスクの記録領域は複数のブロックに分割されている。制御部は、比較判定部によってあるアドレスにおいて反りが許容範囲でないと判定された場合、複数のブロックのうちあるアドレスを含むブロックおよびそれよりも内周側のブロックにのみデータ記録を行なう。この場合は、記録禁止範囲の指定をブロックごとに行なう。これにより、光ディスクの記録領域のブロックごとにデータの記録・再生を管理することができる。
【００１８】
また、好ましくは、さらに、比較判定部は、光ピックアップの出力信号に含まれる高周波信号の振幅に基づいて、反りが許容範囲内であるか否かを判定する。この場合は、高周波信号に基づいて光ディスクの反り具合が判定される。
【００１９】
また、好ましくは、さらに、比較判定部は、光ピックアップの出力信号に含まれるフォーカスエラー信号のレベルに基づいて、反りが許容範囲内であるか否かを判定する。この場合は、フォーカスエラー信号に基づいて光ディスクの反り具合が判定される。
【００２０】
この発明に係わる光ディスク記録方法は、光ディスクにデータ記録を行なう光ディスク記録方法であって、光ディスクの記録領域の最内周から外周方向へ走査しながら記録領域にレーザ光を出射する第１のステップと、光ディスクからの反射光に基づいて、光ディスクの記録領域のうちレーザ光が入射されている部分の反りが許容範囲内であるか否かを判定する第２のステップと、光ディスクの記録領域のうち、反りが許容範囲内であると判定された部分にのみデータ記録を行ない、反りが許容範囲内でないと判定された部分にはデータ記録を行なわない第３のステップとを含む。したがって、光ディスクにデータ記録を行なう際、記録動作を行なう前に光ディスクの反り具合を判定し、反りの小さい部分にのみデータ記録を行なうことができる。これにより、データの記録・再生の品質が改善される。
【発明を実施するための最良の形態】
【００２１】
［実施の形態１］
図１は、この発明の実施の形態１による光ディスク装置の要部の構成を示すブロック図である。図１において、この光ディスク装置は、ディスク１、モータ２、光ピックアップ３、アンプ４、比較判定部５および制御部６を備える。
【００２２】
モータ２は、ＣＤやＤＶＤなどのディスク１を回転させる。光ピックアップ３は、ディスク１の半径方向に走査しながら、ディスク１の表面にレーザ光を出射してデータ記録を行なうとともに、反射光を電気信号に変換してデータの再生を行なう。アンプ４は、光ピックアップ３からの電気信号を受け、ＲＦ（高周波）信号やＦＥ（フォーカスエラー）信号などの所望の信号を抽出し、信号増幅して比較判定部５およびデコーダへ出力する。比較判定部５は、ディスクが挿入されたときに、アンプ４からのＲＦ信号に基づいて、ディスク記録領域のうちレーザ光が入射されている部分の反りが許容範囲内であるかどうかを判定し、判定結果を制御部６に与える。また、アンプ４の出力信号は、デコーダによって再生データに変換される。光ディスク１の半径方向の位置を示すアドレス情報は、光ピックアップ３からアンプ４を介して制御部６に与えられる。制御部６は、アンプ４からのアドレス情報、および比較判定部５による判定結果に基づいてデータ記録動作を行なうとともに、光ディスク装置全体の動作を制御する。
【００２３】
図２は、光ディスク装置のデータ記録動作について説明するためのフローチャートである。図１および図２を参照して、ステップＳ１において、制御部６は、ディスク１が外部から挿入されたかどうかを判定する。ディスク１が挿入された場合（ＹＥＳ）、ステップＳ２に進み、挿入されたディスクを固定するチャッキングを行なう。
【００２４】
次に、ステップＳ３において、制御部６は、光ピックアップ３をディスク１の記録領域の最内周へ移動させる。次いで、ステップＳ４において、光ピックアップ３からディスク１の表面にレーザ光を出射させる。続いて、ステップＳ５において、光ピックアップ３をディスク１の最内周から外周方向へ走査しながら反射光（ＲＦ信号）を測定する。
【００２５】
ステップＳ６において、比較判定部５は、アンプ４によって増幅されたＲＦ信号の振幅と所定の基準幅とを比較することによって、ディスク１の記録領域のうちレーザ光が入射されている部分の反りが許容範囲内であるかどうかを判定する。図３は、ディスクの反り具合の判定動作を説明するための図である。図３を参照して、比較判定部５は、ディスク１から読出されたデータ（“０”，“１”）に対応してレベル変動するＲＦ信号の振幅と、所定の基準幅とを比較する。比較した結果、ＲＦ信号の振幅が所定の基準幅よりも大きい場合（実線部参照）は、反りが許容範囲内である（反りが小さい）と判定する。一方、ＲＦ信号の振幅が所定の基準幅よりも小さい場合（点線部参照）は、反りが許容範囲内でない（反りが大きい）と判定する。
【００２６】
図２に戻って、ディスク１の記録領域の最内周から外周方向へ光ピックアップ３を走査しながらＲＦ信号を測定した結果、最内周から最外周までのすべての領域においてＲＦ信号の振幅が基準幅よりも小さくならなかった場合は、ディスク全体の反りが許容範囲内であると判定されてステップＳ８に進み、通常のデータ記録動作を行なう。
【００２７】
一方、ディスクの記録領域の最内周から外周方向に光ピックアップ３を走査しながらＲＦ信号を測定しているときに、ＲＦ信号の振幅が基準幅よりも小さくなった場合は、そのときのアドレスよりも外周側の部分はディスクが大きく記録不可能であると判定される。すなわち、ＲＦ信号の振幅が基準幅よりも小さくなったときのアドレスよりも外周側の部分が記録禁止範囲として指定される。
【００２８】
図４は、ディスクの記録禁止範囲を示す図である。一般的に、ディスクの外周部分の方が反りが生じやすく、ディスクの内周部分の方が反りが生じ難い。このため、図４を参照して、ディスクの記録領域のうち、ＲＦ信号の振幅が基準幅よりも小さくなったときのアドレス（点線部分）よりも外周側の部分が記録禁止範囲として指定される。記録禁止範囲を示す情報は、最内周部分のリードイン（Lead−In）領域に書込まれる。
【００２９】
再び図２に戻って、ステップＳ７において記録禁止範囲が指定された後、ステップＳ８に進み、記録可能範囲においてデータ記録が実行される。
【００３０】
したがって、この実施の形態１では、光ディスクにデータ記録を行なう際、データ記録動作を行なう前に光ディスクの反り具合を判定し、反りの小さい部分にのみデータ記録を行なうことができる。これにより、データの記録・再生の品質が改善される。
【００３１】
［実施の形態１の変更例］
図５は、この発明の実施の形態１の変更例による反り具合の判定動作を説明するための図である。図５を参照して、図１に示した光ピックアップ３は、ディスク１からの反射光を４つの領域に分割された検出器で受光し、電気信号Ａ，Ｂ，Ｃ，Ｄに変換してアンプ４に与える。アンプ４は、信号Ａ，Ｂ，Ｃ，Ｄを演算処理し、（Ａ＋Ｃ）−（Ｂ＋Ｄ）をＦＥ信号として比較判定部５に与える。
【００３２】
ディスクが焦点位置にある場合（合焦点）、反射光は検出器の中央で円形スポットになる。この場合は、ＦＥ信号のレベルが０となる。ディスクが光ピックアップ３のレンズから遠すぎて焦点ずれが生じた場合、反射光は横に広がった楕円スポットになる。この場合は、ＦＥ信号のレベルが０よりも低くなる。また、ディスクが光ピックアップ３のレンズに近すぎて焦点ずれが生じた場合、反射光は縦に広がった楕円スポットになる。この場合は、ＦＥ信号のレベルが０よりも高くなる。
【００３３】
比較判定部５は、アンプ４からのＦＥ信号のレベルが所定の基準範囲内にあるか否かに
基づいて、ディスクの反り具合を判定する。すなわち、ＦＥ信号のレベルが所定の基準範囲内にある場合は、反りが許容範囲内である（反りが小さい）と判定する。一方、ＦＥ信号のレベルが所定の基準範囲内にない場合は、反りが許容範囲内でない（反りが大きい）と判定する。
【００３４】
このように、この実施の形態１の変更例では、反射光から検出されたＦＥ信号に基づいて光ディスクの反り具合が判定される。したがって、実施の形態１と同様に、光ディスクにデータ記録を行なう際、記録動作を行なう前に光ディスクの反り具合を判定し、反りの小さい部分にのみデータ記録を行なうことができる。これにより、データの記録・再生の品質が改善される。
【００３５】
［実施の形態１の他の変更例］
図６は、この発明の実施の形態１の他の変更例によるディスクの記録禁止範囲を示す図であって、図４と対比される図である。図６を参照して、図４と異なる点は、ディスクの記録領域が複数のブロックＸ，Ｙ，Ｚに分割されている点である。この場合、反りが許容範囲内でないと判定されたアドレス（点線部分）を含むブロックＹよりも外周側のブロックＺを記録禁止範囲として指定する。記録禁止範囲を示す情報は、最内周部分のリードイン領域に書込まれる。その後、記録可能範囲（ブロックＸ，Ｙ）においてデータ記録が実行される。
【００３６】
このように、この実施の形態１の他の変更例では、記録領域が複数ブロックに分割されたディスクにおいて、記録禁止範囲の指定をブロックごとに行なう。このため、光ディスクの記録領域のブロックごとにデータの記録・再生を管理することができる。したがって、実施の形態１と同様に、光ディスクにデータ記録を行なう際、記録動作を行なう前に光ディスクの反り具合を判定し、反りの小さい部分にのみデータ記録を行なうことができる。これにより、データの記録・再生の品質が改善される。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】この発明の実施の形態１による光ディスク装置の要部の構成を示すブロック図である。
【図２】光ディスク装置のデータ記録動作について説明するためのフローチャートである。
【図３】ディスクの反り具合の判定動作を説明するための図である。
【図４】ディスクの記録禁止範囲を示す図である。
【図５】この発明の実施の形態１の変更例による反り具合の判定動作を説明するための図である。
【図６】この発明の実施の形態１の他の変更例によるディスクの記録禁止範囲を示す図である。
【符号の説明】
【００３９】
１  ディスク、２  モータ、３  光ピックアップ、４  アンプ、５  比較判定部、６  制御部。
【図１】
2006012352.tif 000003
【図２】
2006012352.tif 000004
【図３】
2006012352.tif 000005
【図４】
2006012352.tif 000006
【図５】
2006012352.tif 000007
【図６】
2006012352.tif 000008